(57)【要約】【課題】  画像データを印刷する前に、容易に確認することができる表示制御装置、表示制御プログラム及び印刷システムを提供する。【解決手段】  アプリケーション１２から受け取った画像データを画像データ変換部１００がビットマップデータに変換し、減色処理部１０２が利用者の指示に基づき変換後の画像データを減色する。確認画像生成部１０６は、色選択部１０４が利用者の指示に基付いて選択した色の画像を画像データから抜き出し、抜き出した画像要素と残りの画像要素とを分けて表示するための確認画像を生成する。表示部１０８は、確認画像生成部１０６が生成した確認画像を表示装置１８に表示する。【選択図】        図１
2008097505.tif 000002
【特許請求の範囲】
【請求項１】
画像データから任意の色を選択する色選択手段と、
前記選択された色の画像要素と他の色の画像要素とを分けて表示する表示手段と、
を備えることを特徴とする表示制御装置。
【請求項２】
請求項１記載の表示制御装置において、前記画像データは２色に減色されていることを特徴とする表示制御装置。
【請求項３】
請求項１または請求項２記載の表示制御装置は、前記表示手段が表示中の画像要素の色を変更する色変更手段を備えることを特徴とする表示制御装置。
【請求項４】
請求項１から請求項３のいずれか一項記載の表示制御装置において、前記表示手段が表示する画像を切り替える切替手段を備えることを特徴とする表示制御装置。
【請求項５】
画像データから任意の色を選択する色選択手段と、
前記選択された色の画像要素と他の色の画像要素とを分けて表示する表示手段と、
前記画像データを印刷する印刷装置と、
を備えることを特徴とする印刷システム。
【請求項６】
画像データから任意の色を選択し、
前記選択された色の画像要素と他の色の画像要素とを分けて表示する処理をコンピュータに実行させることを特徴とする表示制御プログラム。
【発明の詳細な説明】
【技術分野】
【０００１】
本発明は、表示制御装置、表示制御プログラム及び印刷システムに関する。
【背景技術】
【０００２】
従来より、印刷コストを低減するために、フルカラーデータを２色に減色して印刷する技術が提案されている。例えば、下記特許文献１には、印刷対象であるフルカラーデータから２色印刷データを生成する２色印刷データ生成装置が開示されている。本従来例では、印刷データの確認は、印刷出力した結果により行うことになる。
【特許文献１】特開２００２−２６９５５０号公報
【発明の開示】
【発明が解決しようとする課題】
【０００３】
本発明の目的は、印刷データを印刷する前に、容易に確認することができる表示制御装置、表示制御プログラム及び印刷システムを提供することにある。
【課題を解決するための手段】
【０００４】
上記目的を達成するために、請求項１記載の印刷制御装置の発明は、画像データから任意の色を選択する色選択手段と、前記選択された色の画像要素と他の色の画像要素とを分けて表示する表示手段と、を備えることを特徴とする。
【０００５】
請求項２記載の発明は、請求項１記載の発明において、前記画像データが２色に減色されていることを特徴とする。
【０００６】
請求項３記載の発明は、請求項１または請求項２記載の発明において、前記表示手段が表示中の画像要素の色を変更する色変更手段を備えることを特徴とする。
【０００７】
請求項４記載の発明は、請求項１から請求項３のいずれか一項記載の発明において、前記表示手段が表示する画像を切り替える切替手段を備えることを特徴とする。
【０００８】
請求項５記載の印刷システムの発明は、画像データから任意の色を選択する色選択手段と、前記選択された色の画像要素と他の色の画像要素とを分けて表示する表示手段と、前記画像データを印刷する印刷装置と、を備えることを特徴とする。
【０００９】
請求項６記載の印刷制御プログラムの発明は、画像データから任意の色を選択し、前記選択された色の画像要素と他の色の画像要素とを分けて表示する処理をコンピュータに実行させることを特徴とする。
【発明の効果】
【００１０】
請求項１の発明によれば、本構成を有していない場合に比較して、印刷前に容易に画像データを確認することができる。
【００１１】
請求項２の発明によれば、本構成を有していない場合に比較して、印刷コストを削減するための画像データを容易に確認することができる。
【００１２】
請求項３の発明によれば、本構成を有していない場合に比較して、画像要素を見ながら容易に画像データを変更することができる。
【００１３】
請求項４の発明によれば、本構成を有していない場合に比較して、各画像毎に画像要素を容易に確認することができる。
【００１４】
請求項５の発明によれば、本構成を有していない場合に比較して、印刷前に容易に画像データを確認することができる印刷システムを提供できる。
【００１５】
請求項６の発明によれば、本構成を有していない場合に比較して、印刷前に容易に画像データを確認することができる印刷制御プログラムを提供できる。
【発明を実施するための最良の形態】
【００１６】
以下、本発明を実施するための最良の形態（以下、実施形態という）を、図面に従って説明する。
【００１７】
図１には、本発明にかかる印刷システムの一実施形態における機能ブロック図が示される。図１において、印刷制御装置１０は、本発明の表示制御装置としても機能し、画像データ変換部１００、減色処理部１０２、色選択部１０４、確認画像生成部１０６、表示部１０８、色変更部１１０、入力受付部１１２、出力部１１４及び記憶部１１６を含んで構成されている。
【００１８】
画像データ変換部１００は、中央処理装置（ＣＰＵ）及びＣＰＵの処理動作を制御するプログラムにより実現され、アプリケーション１２から取得した印刷対象の画像データをビットマップデータの形式に変換し、印刷装置１４が処理可能な画像データとする。
【００１９】
減色処理部１０２は、ＣＰＵ及びＣＰＵの処理動作を制御するプログラムにより実現され、上記画像データ変換部１００が変換した画像データを、利用者が指定した数の色に減色する。色の数としては、例えば赤色と黒色のように２色とするのが好適である。なお、減色の指示は、操作部１６から入力する。
【００２０】
色選択部１０４は、ＣＰＵ及びＣＰＵの処理動作を制御するプログラムにより実現され、上記画像データ変換部１００が変換した画像データから任意の色を選択する。この選択は、操作部１６から利用者が入力した指示に基づいて行われる。
【００２１】
確認画像生成部１０６は、ＣＰＵ及びＣＰＵの処理動作を制御するプログラムにより実現され、上記画像データから色選択部１０４が選択した色の画像要素と他の色の画像要素とを分けて表示するための確認画像を生成する。この確認画像は、画像データを印刷する前に印刷後の画像の状態を確認するために、表示装置１８に表示される画像である。
【００２２】
表示部１０８は、ＣＰＵ及びＣＰＵの処理動作を制御するプログラムにより実現され、上記確認画像その他の画像を表示装置１８に表示する動作を制御する。
【００２３】
色変更部１１０は、ＣＰＵ及びＣＰＵの処理動作を制御するプログラムにより実現され、操作部１６から利用者が入力した指示に基づいて、確認画像中の所望の画像要素の色を変更する。色変更部１１０が行った画像要素の色の変更は、画像データ変換部１００が変換した画像データに反映される。
【００２４】
入力受付部１１２は、ＣＰＵ及びＣＰＵの処理動作を制御するプログラムにより実現され、操作部１６から入力される指示データ等を受け付ける。
【００２５】
出力部１１４は、ＣＰＵ及びＣＰＵの処理動作を制御するプログラムにより実現され、画像データ変換部１００が変換した画像データを、通信手段２０を介して印刷装置１４に出力する。
【００２６】
記憶部１１６は、ＣＰＵの作業メモリとして使用されるランダムアクセスメモリ（ＲＡＭ）またはハードディスク装置等の磁気記憶装置で実現され、上記ＣＰＵの処理動作を制御するプログラム等を記憶する。
【００２７】
なお、上記アプリケーション１２は、印刷対象である画像データを印刷指示とともに印刷制御装置１０に出力する機能を有する一般的なソフトウエアである。また、印刷装置１４は、プリントエンジンを含んで構成され、出力部１１４から受け取った画像データを印刷出力する。また、操作部１６は、キーボード、マウスまたはタッチパネル等のデータ入力装置により実現され、利用者が動作指示等を入力するために使用する。また、表示装置１８は、液晶ディスプレイ等の表示装置により実現され、表示部１０８の制御に基づいて確認画像等を表示する。また、通信手段２０は、ＵＳＢ（ユニバーサルシリアルバス）ポート、ネットワークポート等の適宜な通信インターフェースにより実現され、出力部１１４と印刷装置１４との間でデータの授受を行う。
【００２８】
図２には、本実施形態にかかる印刷制御装置の動作例のフローが示される。また、図３（ａ）、（ｂ）には、確認画像の表示動作の説明図が示される。
【００２９】
図２において、アプリケーション１２から受け取った画像データを画像データ変換部１００がビットマップデータに変換する（Ｓ１０１）。次に、減色処理部１０２は、操作部１６から入力された減色指示に基づいて、上記変換後の画像データを指示された数の色に減色する（Ｓ１０２）。なお、本実施形態においては、画像データの減色処理を行わなくてもよい。
【００３０】
図３（ａ）は画像データの例である。図３（ａ）において、Ａの文字は青色とされ、Ｂの文字は赤色とされている。また、文字を囲む枠は黒色とされている。この画像データを減色処理部１０２が減色する場合は、例えば画像データのＲＧＢ、明度、彩度等について所定の閾値を設定し、所望の２色に振り分ける等の方法を採用することができる。
【００３１】
色選択部１０４は、操作部１６から利用者が入力した指示に基づいて、上記画像データ変換部１００が変換した画像データから指示された色を選択する（Ｓ１０３）。
【００３２】
確認画像生成部１０６は、色選択部１０４が選択した色の画像を画像データから抜き出し、抜き出した画像と残りの画像とからなる確認画像を生成する（Ｓ１０４）。表示部１０８は、確認画像生成部１０６が生成した確認画像を表示装置１８に表示する（Ｓ１０５）。この確認画像では、上記抜き出した画像と残りの画像とが分けて表示される。
【００３３】
図３（ｂ）は、確認画像の例である。本例では、Ｓ１０３において色選択部１０４が赤色を選択した場合が示されている。なお、確認画像は、色選択部１０４が選択した色の画像を表示する選択画像表示領域ＩＩと残りの画像を表示する非選択画像表示領域Ｉとにより構成されている。
【００３４】
図３（ｂ）に示されるように、赤色の文字Ｂが抜き出され、選択画像表示領域ＩＩに表示されており、画像データの他の画像要素は非選択画像表示領域Ｉに表示されている。なお、図３（ｂ）では、Ｓ１０２の減色処理により画像データが赤色と黒色の２色に減色され、文字Ａと枠とが黒色で表示されている。
【００３５】
次に、操作部１６から利用者が印刷指示を入力したか否かを出力部１１４が監視し（Ｓ１０６）、印刷指示が入力された場合には、出力部１１４から印刷装置１４に対して上記減色された画像データを出力する（Ｓ１０７）。
【００３６】
図４には、本実施形態にかかる印刷制御装置の他の動作例のフローが示される。また、図５（ａ）、（ｂ）には、確認画像の他の表示動作の説明図が示される。
【００３７】
図４において、Ｓ２０１からＳ２０５は、図２におけるＳ１０１からＳ１０５と同じ動作であるので、その説明を省略する。
【００３８】
確認画像が表示装置１８に表示された後、表示中の確認画像の中の特定の画像要素の色を変更する指示が入力されたか否かを色変更部１１０が監視する（Ｓ２０６）。この色変更の指示は、利用者が操作部１６から入力する。
【００３９】
図５（ａ）は、色変更指示の説明図である。図５（ａ）の例では、確認画像の非選択画像表示領域Ｉに表示された黒色の画像要素である文字Ａを指定し、この色を赤色に変更する場合を示している。まず、マウス等により色変更する画像要素（文字Ａ）の範囲を、破線で示される矩形図形で囲む操作を行う。次に、矩形図形で囲んだ範囲内にある画像要素の変更後の色を指定する。この色の指定は、例えばマウスの右クリック等の操作によりサブメニューＩＩＩを表示させて行う構成とするのが好適である。図５（ａ）には、「赤に変更する」、「黒に変更する」及び「削除する」の指示が表示されたサブメニューＩＩＩが示されている。利用者は、マウス等により所望の指示を選択することにより色変更指示を入力することができる。なお、本例では、色変更の対象となる画像要素が黒色の文字Ａであるので、「黒に変更する」旨の指示は不要である。このため、「黒に変更する」旨の指示をグレーアウト（灰色表示）して、選択できないようにする構成が好適である。
【００４０】
Ｓ２０６において、色変更指示があった場合には、色変更部１１０が色変更を指示された画像要素の色を、指示された色に変更する（Ｓ２０７）。画像要素の色の変更は、Ｓ２０１で変換した画像データに反映される。なお、この場合、変更後の画像要素は、選択画像表示領域ＩＩに表示する。これにより、利用者が色の変更を容易に確認することができる。
【００４１】
図５（ｂ）は、色変更処理後の確認画像の例である。図５（ｂ）に示されるように、非選択画像表示領域Ｉには、未選択の黒枠のみが残り、選択画像表示領域ＩＩには当初から赤色に選択された文字ＢとＳ２０７で色が変更された文字Ａが表示されている。なお、図５（ｂ）に示された確認画像に対してＳ２０６、Ｓ２０７のステップを繰り返し、さらに画像要素を指定して色変更ができるように構成するのが好適である。
【００４２】
その後、操作部１６から利用者が印刷指示を入力したか否かを出力部１１４が監視し（Ｓ２０８）、印刷指示が入力された場合には、出力部１１４から印刷装置１４に対して減色された画像データを出力する（Ｓ２０９）。この場合の画像データは、Ｓ２０７で色変更処理が行われていた場合には、色変更後の画像データである。
【００４３】
図６（ａ）、（ｂ）、（ｃ）には、上記確認画像のさらに他の表示動作の説明図が示される。図６（ａ）では、選択画像表示領域ＩＩに、選択された色である赤色の画像要素だけでなく、黒色の枠も表示されている。この表示は、確認画像生成部１０６が、赤色の画像要素（文字Ａ及びＢ）と黒色の画像要素（黒枠）とを合成した合成確認画像を生成し、表示部１０８に出力することにより実現する。
【００４４】
上記合成確認画像の生成の指示は、例えば図６（ｂ）に示されるように、マウスの右クリック等の操作によりサブメニューＩＩＩを表示させて行う構成とするのが好適である。図６（ｂ）には、「色を合成して表示する」旨の指示が表示されたサブメニューＩＩＩが示されている。利用者は、マウス等によりこの指示を選択（左クリック）することにより合成確認画像の生成指示を入力することができる。なお、図６（ｂ）では、サブメニューＩＩＩが選択画像表示領域ＩＩに表示されているが、非選択画像表示領域Ｉに表示される構成としてもよい。
【００４５】
また、図６（ｃ）は、各色の画像要素を合成した合成確認画像を、色毎に分けて表示する場合の例である。図６（ｃ）の選択画像表示領域ＩＩには、「色を分けて表示する」旨の指示が表示されたサブメニューＩＩＩが表示されており、利用者がこの指示を選択すると、合成確認画像が、図６（ｂ）に示される、色毎に画像要素を分けた確認画像に変更される。なお、この場合のサブメニューＩＩＩも、非選択画像表示領域Ｉに表示してもよい。
【００４６】
図７には、本実施形態にかかる印刷制御装置のさらに他の動作例のフローが示される。また、図８（ａ）、（ｂ）、（ｃ）には、確認画像のさらに他の表示動作の説明図が示される。
【００４７】
図７において、Ｓ３０１からＳ３０４は、図２におけるＳ１０１からＳ１０４と同じ動作であるので、その説明を省略する。ただし、本実施形態においては、Ｓ３０２で赤色及び黒色の２色に減色されており、Ｓ３０４で文字Ａ，Ｂの両方が赤色の確認画像が生成されている場合を説明する。
【００４８】
表示部１０８は、利用者が操作部１６からどの色の確認画像を選択したかを監視しており、黒色の確認画像が選択された場合には（Ｓ３０５）、黒色の確認画像を表示装置１８に表示する（Ｓ３０６）。なお、色の選択は、色選択用のサブメニュー画面を表示装置１８に表示して、利用者に選択させる構成とするのが好適である。
【００４９】
また、このとき、表示中の確認画像の中の特定の画像要素の色を変更する指示が入力されたか否かを色変更部１１０が監視する（Ｓ３０７）。Ｓ３０７において、色変更指示があった場合には、色変更部１１０が色変更を指示された画像要素の色を、指示された色に変更する（Ｓ３０８）。
【００５０】
図８（ａ）は、黒色の確認画像の表示例である。図８（ａ）では、黒色の画像要素である枠のみが確認画像として表示されている。
【００５１】
また、Ｓ３０４において黒色が選択されず、赤色の確認画像が選択された場合には（Ｓ３０９）、赤色の確認画像を表示装置１８に表示する（Ｓ３１０）。また、このときにもＳ３０７及びＳ３０８のステップにより、画像要素の色の変更が受け付けられる。
【００５２】
図８（ｂ）は、赤色の確認画像の表示例である。図８（ｂ）では、赤色の画像要素である文字Ａ，Ｂのみが確認画像として表示されている。
【００５３】
さらに、Ｓ３０９において赤色も選択されず、全ての画像要素を合成した合成確認画像が選択された場合には（Ｓ３１１）、確認画像生成部１０６が、赤色の画像要素（文字Ａ及びＢ）と黒色の画像要素（黒枠）とを合成した合成確認画像を生成し、表示部１０８に出力する。表示部１０８は、確認画像生成部１０６から受け取った合成確認画像を表示装置１８に表示する（Ｓ３１２）。この合成確認画像は、画像データとして印刷装置１４に出力される画像である。また、このときにもＳ３０７及びＳ３０８のステップにより、画像要素の色の変更が受け付けられる。
【００５４】
図８（ｃ）は、合成確認画像の表示例である。図８（ｃ）では、赤色の画像要素である文字Ａ，Ｂと黒色の画像要素（黒枠）とが合成されて表示されている。印刷装置１４からは、この合成確認画像が印刷出力される。
【００５５】
その後、操作部１６から利用者が印刷指示を入力したか否かを出力部１１４が監視し（Ｓ３１３）、印刷指示が入力された場合には、出力部１１４から印刷装置１４に対して上記画像データを出力する（Ｓ３１４）。
【００５６】
一方、Ｓ３１３において印刷指示が入力されていない場合には、Ｓ３０５からのステップを繰り返す。これにより、表示装置１８に表示中の確認画像を切り替えることが可能となる。このように、表示部１０８は、利用者からの指示に基づいて、表示装置１８に表示する確認画像を切り替える動作を行い、本発明の切替手段として機能している。
【００５７】
なお、図８（ａ）、（ｂ）、（ｃ）に表示された各確認画像は、操作部１６からの切替指示により表示部１０８が相互に表示を切り替える構成とするのが好適である。
【００５８】
また、図８（ａ）、（ｂ）、（ｃ）の例では、黒色、赤色、合成の何れかの確認画像のみが表示されているが、これに限定されるものではない。これら３種類の確認画像のうちの所望の２種類または３種類全てを表示できるように構成するのが好適である。
【００５９】
以上に述べた図２、図４及び図７の各ステップを実行するためのプログラムは、通信手段により提供してもよいし、ＣＤＲＯＭ等の記憶媒体に格納して提供してもよい。
【００６０】
なお、以上の実施形態では、印刷システムの例を説明したが、本発明はこれに限定されるものではなく、例えばスキャナ等により取得した画像データを減色して保存する際にも適用することができる。
【図面の簡単な説明】
【００６１】
【図１】本発明にかかる印刷制御装置の一実施形態における機能ブロック図である。
【図２】本発明にかかる印刷制御装置の動作例のフロー図である。
【図３】確認画像の表示動作の説明図である。
【図４】本発明にかかる印刷制御装置の他の動作例のフロー図である。
【図５】確認画像の他の表示動作の説明図である。
【図６】確認画像のさらに他の表示動作の説明図である。
【図７】本発明にかかる印刷制御装置のさらに他の動作例のフロー図である。
【図８】確認画像のさらに他の表示動作の説明図である。
【符号の説明】
【００６２】
１０  印刷制御装置、１２  アプリケーション、１４  印刷装置、１６  操作部、１８  表示装置、２０  通信手段、１００  画像データ変換部、１０２  減色処理部、１０４  色選択部、１０６  確認画像生成部、１０８  表示部、１１０  色変更部、１１２  入力受付部、１１４  出力部、１１６  記憶部。
【図１】
2008097505.tif 000003
【図２】
2008097505.tif 000004
【図３】
2008097505.tif 000005
【図４】
2008097505.tif 000006
【図５】
2008097505.tif 000007
【図６】
2008097505.tif 000008
【図７】
2008097505.tif 000009
【図８】
2008097505.tif 000010
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
画像データから任意の色を選択する色選択手段と、
前記選択された色の画像要素を選択画像表示領域に、他の色の画像要素を非選択画像表示領域に、それぞれ分けて表示する表示手段と、
前記表示手段が表示中の画像要素の色を変更する色変更手段と、
を備え、
前記表示手段は、前記色変更手段が色を変更した画像要素について、変更後の色に基づいて前記選択画像表示領域または非選択画像表示領域に表示することを特徴とする表示制御装置。
【請求項２】
請求項１記載の表示制御装置において、前記画像データは２色に減色されていることを特徴とする表示制御装置。
【請求項３】
請求項１または請求項２記載の表示制御装置において、前記表示手段の選択画像表示領域に表示する画像を、前記選択された色の画像要素と、前記選択された色の画像要素と他の色の画像要素とを合成した合成画像要素とで切り替える切替手段を備えることを特徴とする表示制御装置。
【請求項４】
画像データから任意の色を選択する色選択手段と、
前記選択された色の画像要素を選択画像表示領域に、他の色の画像要素を非選択画像表示領域に、それぞれ分けて表示する表示手段と、
前記表示手段が表示中の画像要素の色を変更する色変更手段と、
前記画像データを印刷する印刷装置と、
を備え、
前記表示手段は、前記色変更手段が色を変更した画像要素について、変更後の色に基づいて前記選択画像表示領域または非選択画像表示領域に表示することを特徴とする印刷システム。
【請求項５】
画像データから任意の色を選択し、
前記選択された色の画像要素を選択画像表示領域に、他の色の画像要素を非選択画像表示領域に、それぞれ分けて表示し、
前記表示中の画像要素の色を変更し、
前記色を変更した画像要素について、変更後の色に基づいて前記選択画像表示領域または非選択画像表示領域に表示する処理をコンピュータに実行させることを特徴とする表示制御プログラム。